(57)【要約】【課題】記録すべきテレビジョン放送のうちユーザにとって興味のあるテレビ番組を高画質で記録し、興味のないテレビ番組を低画質で記録する記録装置及びテレビジョン受信機の提供を目的とする。【解決手段】テレビジョン受信機は、テレビ番組のジャンルと記録に用いる記録画質との関係を示すテーブルを備える。またテレビジョン受信機は、記録すべきテレビジョン放送に含まれるテレビ番組のジャンルに基づいて、そのテレビ番組の記録に用いる記録画質を設定する。設定した記録画質を用いて、そのテレビ番組を記録する。【選択図】図５
2014072776.tif 000002
【特許請求の範囲】
【請求項１】
一定時間に送信されるテレビジョン放送を、設定した記録画質で記録部に記録する記録装置において、
テレビ番組のジャンル及び該ジャンルに属するテレビ番組の記録画質の関連を示す情報を記憶する記憶部と、
送信されるテレビジョン放送からテレビ番組を選定する選定部と、
該選定部が選定したテレビ番組のジャンルを特定する特定部と、
該特定部が特定したジャンルに属するテレビ番組の記録画質を、前記記憶部に記憶した前記関連を示す情報に基づいて設定する設定部と
を備え、
前記選定部が選定したテレビ番組を、前記設定部が設定した記録画質を用いて前記記録部に記録するようにしてある
ことを特徴とする記録装置。
【請求項２】
送信されるテレビジョン放送は、複数のテレビ番組を含んでおり、
前記選定部は、送信されるテレビジョン放送から複数のテレビ番組を選定するようにしてあり、
前記特定部は、前記選定部が選定したテレビ番組毎にジャンルを特定するようにしてあり、
前記設定部は、前記特定部が特定したジャンル毎にテレビ番組の記録画質を設定するようにしてある
ことを特徴とする請求項１に記載の記録装置。
【請求項３】
前記記録部に、前記一定時間に送信される複数チャンネルのテレビジョン放送を記録するようにしてある
ことを特徴とする請求項１又は２に記載の記録装置。
【請求項４】
前記記録部に、前記一定時間の経過後に送信されるテレビジョン放送を次の一定時間記録するようにしてある
ことを特徴とする請求項１から３のいずれか一つに記載の記録装置。
【請求項５】
前記関連を示す情報は、前記記録部の残存記録容量に基づいて所定ジャンルに属するテレビ番組の記録画質が決められるようにしてある
ことを特徴とする請求項１から４のいずれか一つに記載の記録装置。
【請求項６】
前記選定部が選定したテレビ番組が、所定の時間帯に送信されるか否かを判定する判定部を備え、
前記関連を示す情報は、テレビ番組が送信される時間帯に基づいて記録画質が決められるようにしてある
ことを特徴とする請求項１から５のいずれか一つに記載の記録装置。
【請求項７】
テレビジョン放送を受信する放送受信部と、
該放送受信部が受信したテレビジョン放送を表示する表示部と、
請求項１から６のいずれか一つに記載の記録装置と
を備え、
該記録装置は、前記放送受信部が受信したテレビジョン放送を記録するようにしてあり、
前記表示部は、前記記録装置が記録したテレビジョン放送を表示するようにしてある
ことを特徴とするテレビジョン受信機。
【発明の詳細な説明】
【技術分野】
【０００１】
本発明は、テレビジョン放送を記録する記録装置及びテレビジョン受信機に関する。
【背景技術】
【０００２】
テレビジョン放送を所定の画質で録画記録して、必要なときに再生できる記録再生装置が製造されている。またそのような記録再生装置を内蔵したテレビジョン受信機も製造されている。
【０００３】
近年の記録再生装置では、低ビットレートで記録したテレビジョン放送を再生した際の画質向上にともない、長時間のテレビジョン放送が記録されるようになった。また、一定時間に亘って送信された全チャンネルのテレビジョン放送を録画記録するような記録再生装置（全録装置）も製造されている。
【０００４】
記録再生装置がテレビジョン放送を記録するために有する記録容量は有限であるため、長時間のテレビジョン放送を記録する場合には、残存記録容量が不足する事態も起こり得る。また、一定時間に亘って送信された複数チャンネルのテレビジョン放送を録画記録する装置、特に全録装置の場合には、記録すべきテレビジョン放送が膨大となり、記録容量不足の問題もより深刻となる。
【０００５】
記録するテレビジョン放送の記録画質（ビットレート）を下げた場合には、一定の記録容量であっても、テレビジョン放送をより長時間記録できるようになる。しかしながら、記録するに際して記録画質を毎回設定し直すことは、ユーザにとって面倒である。
【０００６】
特許文献１は、テレビジョン放送を記録する時間帯に基づいて自動的に記録画質を変更する構成を用いて、記録画質変更におけるユーザの利便性を向上させている。
【先行技術文献】
【特許文献】
【０００７】
【特許文献１】特開２００７−２４３２３２号公報
【発明の概要】
【発明が解決しようとする課題】
【０００８】
記録されるテレビジョン放送の中には、ユーザにとって興味のあるテレビ番組と興味のないテレビ番組とが複数混在し得る。記録されるテレビジョン放送単位で記録画質を設定する構成の場合には、記録されるテレビジョン放送のうち、ユーザにとって興味のないテレビ番組だけでなく、興味のあるテレビ番組も低画質で記録されてしまう可能性がある。この場合、ユーザにとって興味のあるテレビ番組の再生画質が低下するという問題が考えられる。また、ユーザにとって興味のあるテレビ番組だけでなく、興味のないテレビ番組も高画質で記録されてしまう可能性がある。この場合、興味のないテレビ番組によって記録容量の不足が生じるという問題が考えられる。たとえば、所定日に全録装置でテレビジョン放送を記録した場合、数日後のユーザにとって興味がないであろうその所定日の天気予報番組と数日後のユーザにも興味があり得る映画番組とが混在し得る。記録されるテレビジョン放送単位で記録画質を設定する構成の場合には、興味がないであろうその所定日の天気予報番組だけでなく、興味があり得る映画番組も同じ高画質または低画質で記録することになる。つまり、記録されるテレビジョン放送単位で記録画質を設定する構成の場合には、ユーザの興味を考慮した適切な記録画質の選択が行われていない。したがって、有限である記録容量を有効に利用できていない。
【０００９】
本発明は斯かる事情に鑑みてなされたものであって、長時間のテレビジョン放送を記録する場合においても、自動的に、記録されるテレビジョン放送のうちユーザにとって興味のあるテレビ番組を高画質で記録して興味のないテレビ番組を低画質で記録し得る記録装置、及び記録装置を含むテレビジョン受信機の提供を目的とする。
【課題を解決するための手段】
【００１０】
本発明に係る記録装置は、一定時間に送信されるテレビジョン放送を、設定した記録画質で記録部に記録する記録装置において、テレビ番組のジャンル及び該ジャンルに属するテレビ番組の記録画質の関連を示す情報を記憶する記憶部と、送信されるテレビジョン放送からテレビ番組を選定する選定部と、該選定部が選定したテレビ番組のジャンルを特定する特定部と、該特定部が特定したジャンルに属するテレビ番組の記録画質を、前記記憶部に記憶した前記関連を示す情報に基づいて設定する設定部とを備え、前記選定部が選定したテレビ番組を、前記設定部が設定した記録画質を用いて前記記録部に記録するようにしてあることを特徴とする。
【００１１】
上述の記録装置では、一定時間に送信されるテレビジョン放送に含まれるテレビ番組を選定し、そのテレビ番組のジャンルを特定する。テレビ番組のジャンルに対する記録画質を規定した関連を示す情報に基づいて、選定したテレビ番組の記録画質を決定して記録を行う。
【００１２】
また本発明に係る記録装置は、送信されるテレビジョン放送は、複数のテレビ番組を含んでおり、前記選定部は、送信されるテレビジョン放送から複数のテレビ番組を選定するようにしてあり、前記特定部は、前記選定部が選定したテレビ番組毎にジャンルを特定するようにしてあり、前記設定部は、前記特定部が特定したジャンル毎にテレビ番組の記録画質を設定するようにしてあることを特徴とする。
【００１３】
上述の記録装置では、一定時間に送信されるテレビジョン放送から複数のテレビ番組を選定し、選定したテレビ番組ごとにジャンルを特定する。テレビ番組のジャンルごとに記録画質を規定した関連を示す情報に基づいて、選定したテレビ番組ごとの記録画質を設定して記録を行う。
【００１４】
また本発明に係る記録装置は、前記記録部に、前記一定時間に送信される複数チャンネルのテレビジョン放送を記録するようにしてあることを特徴とする。
【００１５】
上述の記録装置では、同時間帯に送信される複数チャンネルのテレビジョン放送を記録部に記録する。つまり、マルチチャンネル対応の記録装置となる。
【００１６】
また本発明に係る記録装置は、前記記録部に、前記一定時間の経過後に送信されるテレビジョン放送を次の一定時間記録するようにしてあることを特徴とする。
【００１７】
上述の記録装置では、一定時間を単位として、継続的にテレビジョン放送を記録する。
【００１８】
また本発明に係る記録装置は、前記関連を示す情報は、前記記録部の残存記録容量に基づいて所定ジャンルに属するテレビ番組の記録画質が決められるようにしてあることを特徴とする。
【００１９】
上述の記録装置では、テレビジョン放送を記録できる残存記録容量に基づいて、テレビジョン放送に含まれるテレビ番組の記録画質がジャンルごとに設定される。
【００２０】
また本発明に係る記録装置は、前記選定部が選定したテレビ番組が、所定の時間帯に送信されるか否かを判定する判定部を備え、前記関連を示す情報は、テレビ番組が送信される時間帯に基づいて記録画質が決められるようにしてあることを特徴とする。
【００２１】
上述の記録装置では、テレビジョン放送からテレビ番組を選定し、選定したテレビ番組が所定の時間帯に送信されるテレビ番組であるか否かを判定する。判定結果に基づいて、選定したテレビ番組の記録画質を設定する。
【００２２】
１日のテレビジョン放送のうち、１９時から２２時の時間帯において新作のテレビ番組が放送されることが多い。この時間帯は、視聴率が比較的高くなることが知られており、ゴールデンタイムと呼ばれている。一方、深夜または昼間などの時間帯では、一度放送されたことがあるテレビ番組が再放送されることも多く、視聴率が比較的低いことが知られている。つまり、ゴールデンタイムには他の時間帯、特に深夜または昼間などの時間帯と比べて、ユーザの興味があるテレビ番組が放送される可能性が高いと予想される。したがって、上述の記録装置における所定の時間帯としてゴールデンタイムを用いた場合には、ユーザが興味を示すと予想されるゴールデンタイムのテレビ番組を高画質で記録して、興味を示さないと予想される深夜または昼間のテレビ番組を低画質で記録することも可能となる。
【００２３】
本発明に係るテレビジョン受信機は、テレビジョン放送を受信する放送受信部と、該放送受信部が受信したテレビジョン放送を表示する表示部と、上述の記録装置とを備え、該記録装置は、前記放送受信部が受信したテレビジョン放送を記録するようにしてあり、前記表示部は、前記記録装置が記録したテレビジョン放送を表示するようにしてあることを特徴とする。
【００２４】
上述のテレビジョン受信機では、一定時間に送信されるテレビジョン放送に含まれるテレビ番組を選定し、そのテレビ番組のジャンルを特定する。テレビ番組のジャンルに対する記録画質を規定した関連を示す情報に基づいて、選定したテレビ番組の記録画質を設定して記録を行う。
【発明の効果】
【００２５】
本発明にあっては、記録するテレビジョン放送に含まれるテレビ番組のジャンルに基づいて、テレビ番組の記録画質を設定する。設定した記録画質を用いて、テレビジョン放送に含まれるテレビ番組を記録する。ユーザの興味を考慮して所定のジャンルに対する記録画質を設定することにより、ユーザにとって興味のあるテレビ番組を高画質で記録し、興味のないテレビ番組を低画質で記録することが可能となる。したがって、有限である記録容量をより有効に利用することが可能となる。
【図面の簡単な説明】
【００２６】
【図１】テレビジョン受信機及びその受信機の操作部の外観を示す模式図である。
【図２】テレビジョン受信機の一構成例を示すブロック図である。
【図３】メタデータ関連テーブルのレコードレイアウトを示す説明図である。
【図４】記録画質テーブルのレコードレイアウトを示す説明図である。
【図５】記録部に記録するテレビ番組の記録画質設定を行う制御部の予約録画処理手順を示すフローチャートである。
【図６】記録部に記録するテレビ番組の記録画質設定を行う制御部のダイレクト録画処理手順を示すフローチャートである。
【図７】記録画質テーブルのレコードレイアウトを示す説明図である。
【図８】記録部に記録するテレビ番組の記録画質設定を行う制御部の予約録画処理手順を示すフローチャートである。
【図９】記録部に記録するテレビ番組の記録画質設定を行う制御部のダイレクト録画処理手順を示すフローチャートである。
【図１０】記録画質テーブルのレコードレイアウトを示す説明図である。
【図１１】記録部に記録するテレビ番組の記録画質設定を行う制御部の予約録画処理手順を示すフローチャートである。
【図１２】記録部に記録するテレビ番組の記録画質設定を行う制御部のダイレクト録画処理手順を示すフローチャートである。
【発明を実施するための形態】
【００２７】
（実施の形態１）
以下、本発明をその実施の形態を示す図面に基づいて具体的に説明する。記録装置としての機能を有するテレビジョン受信機について例示する。
【００２８】
図１は、テレビジョン受信機１及びその受信機１の操作部２０の外観を示す模式図である。操作部２０は、ユーザがテレビジョン受信機１を操作するために用いるものである。録画予約を含むさまざまな操作に関する指示情報をテレビジョン受信機１に与えることができる。本実施の形態１では、操作部２０がテレビジョン受信機１に対して遠隔操作可能な別体となっているが、テレビジョン受信機１と一体となる構成でもよい。
【００２９】
図２は、テレビジョン受信機１の一構成例を示したブロック図である。テレビジョン受信機１は制御部１０、映像／音声入力部１１、チューナ部１２、ＡＶスイッチ１３、信号処理部１４、表示部１５、スピーカ１６、記録部１７、記憶部１８、及び受付部１９を備える。
【００３０】
制御部１０は、中央処理装置（Central Processing Unit：ＣＰＵ）、記憶媒体（Read Only Memory：ＲＯＭ）、メモリ（Random Access Memory：ＲＡＭ）などを備えたマイクロコンピュータからなり、テレビジョン受信機１の各構成部に制御信号を与えて各構成部の動作を制御する。
【００３１】
映像／音声入力部１１は、各種外部装置から出力された映像信号及び音声信号が入力される入力インタフェースであり、入力された映像信号及び音声信号をＡＶスイッチ１３へ与える。外部装置は、例えば、衛星放送チューナ、ケーブルテレビチューナ、ＩＰ放送チューナなどのチューナで構成される。
【００３２】
チューナ部１２は、アンテナＡで受信した放送信号を増幅して特定チャンネルの信号を選択し、データをＡＶスイッチ１３に与える。
【００３３】
ＡＶスイッチ１３は、映像／音声入力部１１から与えられた映像信号及び音声信号、又はチューナ部１２から与えられたデータのいずれかを選択し、選択された映像信号及び音声信号又はデータを信号処理部１４へ出力する。
【００３４】
信号処理部１４は、ＡＶスイッチ１３から出力された映像信号又はデータに基づいて映像を生成し、生成した映像を表示部１５に表示させる。また信号処理部１４は、記録部１７に記録（録画）したテレビジョン放送の映像を生成し、生成した映像を表示部１５に表示させる。音声は、ＡＶスイッチ１３から出力された音声信号又はデータをスピーカ１６に与えることによって、外部出力される。
【００３５】
表示部１５は、液晶パネルで構成してあり、信号処理部１４から与えられた映像信号に基づいて、映像を表示する。プラズマディスプレイパネル、有機ＥＬパネルなどを用いて構成してもよい。
【００３６】
スピーカ１６は、電気信号を物理振動に変えて音を生み出すものであり、信号処理部１４から与えられた音声信号に基づいて、音声を出力する。
【００３７】
記録部１７は、ハードディスクドライブ（ＨＤＤ）で構成してあり、チューナ部１２が選択した複数チャンネルのテレビジョン放送を一定時間に亘って記録できる。一定時間に亘って記録した後、継続して更に一定時間記録することができる。記録部１７は、テレビジョン受信機１に内蔵してある。しかしながら記録部１７は、ＵＳＢ等を用いて外部接続されるものであってもよい。コンパクトディスク（ＣＤ）、ディーブイディーディスク（ＤＶＤ）、ブルーレイディスク（ＢＤ）等を用いて構成してあるものであってもよい。
【００３８】
記憶部１８は、ＲＡＭで構成してあり、テレビジョン放送に含まれるテレビ番組の情報であるメタデータを記憶する記憶領域を有しており、テレビ番組の識別情報とそのテレビ番組の題名、放送回、ジャンル、出演者、及び録画日時の情報との関連を示すメタデータ関連テーブル１８ａを記憶する。メタデータとは、データについてのデータ属性を意味しており、より具体的には、あるデータが付随して持つそのデータ自身についての抽象度の高い付加的なデータを意味する。記録予定のテレビジョン放送に対するメタデータは、受信したテレビジョン放送に含まれる放送予定情報（番組表の情報）から選定することも可能である。また記憶部１８は、テレビジョン放送に含まれるテレビ番組のジャンルとそのジャンルに対する記録画質と関係を示す記録画質テーブル１８ｂを記憶する。記憶部１８は、ＲＡＭ以外の記録媒体、たとえばＨＤＤ、で構成されてもよい。
【００３９】
受付部１９は、操作部２０から送信される指示情報を受け付けるものであり、ユーザの操作により送信される指示情報を制御部１０に与える。
【００４０】
図３は、メタデータ関連テーブル１８ａのレコードレイアウトを示す説明図である。テレビ番組の識別情報とその識別情報が示すテレビ番組のメタデータとの関係を示すメタデータ関連テーブル１８ａを模式的に示してある。メタデータ関連テーブル１８ａは、メタデータの具体例として、チャンネルフィールド、題名フィールド、放送回フィールド、ジャンルフィールド、出演者フィールド、放送開始日時フィールド及び放送終了日時フィールドで構成してある。
【００４１】
チャンネルフィールドには、そのテレビ番組が放送されるチャンネルを示す情報が記録してある。題名フィールドには、そのテレビ番組の題名を示す情報が記録してある。放送回フィールドには、そのテレビ番組が第何回目の放送であるかを示す情報が記録してある。ジャンルフィールドには、そのテレビ番組のジャンル（ニュース／天気予報、スポーツ、ワイドショー、バラエティー、音楽、ドラマ、映画など）を示す情報が記録してある。出演者フィールドには、そのテレビ番組に出演している出演者を示す情報が記録してある。放送開始日時フィールドには、そのテレビ番組の放送が開始する日時を示す情報が記録してある。放送終了日時フィールドには、そのテレビ番組の放送が終了する日時を示す情報が記録してある。
【００４２】
図４は、記録画質テーブル１８ｂのレコードレイアウトを示す説明図である。テレビ番組のジャンルとそのジャンルに対する記録画質との関係を示す記録画質テーブル１８ｂを模式的に示してある。記録画質テーブル１８ｂのジャンルフィールドには、記録対象となるテレビ番組のジャンルを示す情報が記録してある。記録画質テーブル１８ｂの記録画質フィールドには、記録に際して用いる記録画質を示す情報が記録してある。
【００４３】
制御部１０は、メタデータ関連テーブル１８ａ及び記録画質テーブル１８ｂを参照し、記録すべきテレビジョン放送に含まれる各テレビ番組の記録画質を設定し、設定した記録画質を用いて各テレビ番組を記録部１７に記録する。
【００４４】
図４では、メタデータに含まれるジャンルに基づいてテレビ番組の記録画質が異なる構成が例示してある。また、テレビ番組のジャンルに応じてユーザの興味が異なるであろうという予測に基づいて、記録画質を異なるようにする構成が例示してある。具体的には、即時性の高い情報からなるものであるために録画した後に再生して見る可能性が低いと考えられるジャンル、つまり、ユーザの興味が低いと予想されるニュース／天気予報、スポーツ及びワイドショーのジャンルに対する記録画質を低画質としている。ニュース／天気予報、スポーツ及びワイドショーのジャンルほどは即時性が要求されていないためにユーザの興味がより高いであろうと予想されるバラエティー及び音楽のジャンルに対する記録画質を、それぞれ標準画質としている。また、即時性があまり要求されてないためにユーザの興味が更に高いであろうと予想されるドラマ及び映画のジャンルに対する記録画質を高画質としている。この構成により、録画してから数日たった場合にユーザが興味を有する確率が低いと予想されるジャンルのテレビ番組を低画質で記録し、録画してから数日たった場合にもユーザが興味を有する確率が高いと予想されるジャンルのテレビ番組を高画質で記録できるようになる。
【００４５】
図４で示した記録画質テーブル１８ｂは一例であって、操作部２０を用いてユーザが記録画質テーブル１８ｂの内容を自由に変更できる構成としてもよい。例えば、ユーザが自分の興味があるジャンルをお好みジャンルとして選択し、ユーザ自身によりその選択したジャンルの記録画質を自由に変更する構成としてもよい。また、メタデータに含まれるその他の情報に基づいて、特定ジャンルの記録画質を異なるようにする構成としてもよい。例えば、ユーザの興味のある出演者を考慮し、出演者フィールドの情報に基づいて、映画のジャンルの記録画質を更に異なるようにする構成としてもよい。ユーザの興味のある題名を考慮し、題名フィールド及び放送回フィールドの情報に基づいて、ドラマのジャンルの記録画質を更に異なるようにする構成としてもよい。これらの構成により、テレビ番組の記録画質を設定するに際して、ユーザの興味をより良く反映できるようになる。
【００４６】
テレビジョン放送を記録するに際しては、記録対象であるテレビジョン放送のチャンネル、放送開始日時、放送終了日時などの情報を事前に予約してから記録する予約録画方法と、現在視聴しているチャンネルのテレビジョン放送を即座に記録開始するダイレクト録画方法とが使用可能である。図５は、記録部１７に記録するテレビ番組の記録画質設定を行う制御部１０の予約録画処理手順を示すフローチャートである。
【００４７】
制御部１０は、記録対象であるテレビジョン放送のチャンネル、録画開始日時、録画終了日時などの情報を含んだ録画の指示情報を操作部２０から受け付ける（ステップＳ１１）。制御部１０は、メタデータ関連テーブル１８ａに基づいて、記録対象のテレビジョン放送に含まれるテレビ番組を選定し（ステップＳ１２）、選定した各テレビ番組のジャンルを特定する（ステップＳ１３）。制御部１０は、特定したジャンルに基づいて記録画質テーブル１８ｂを参照し、選定した各テレビ番組に対する記録画質を設定する（ステップＳ１４）。
【００４８】
制御部１０は、受け付けた録画開始日時から録画終了日時の期間に受信するテレビジョン放送に含まれる各テレビ番組を、設定した記録画質を用いて記録部１７へ録画記録し（ステップＳ１５）、処理を終了する。
【００４９】
図６は、記録部１７に記録するテレビ番組の記録画質設定を行う制御部１０のダイレクト録画処理手順を示すフローチャートである。
【００５０】
制御部１０は、現在視聴しているテレビジョン放送を録画記録する指示情報をユーザから操作部２０を介して受け付ける（ステップＳ２１）。制御部１０は、メタデータ関連テーブル１８ａに基づいて、現在視聴しているテレビジョン放送に含まれるテレビ番組を選定し（ステップＳ２２）、テレビ番組のジャンルを特定する（ステップＳ２３）。制御部１０は、特定したジャンルに基づいて記録画質テーブル１８ｂを参照して記録画質を設定し（ステップＳ２４）、設定した記録画質を用いてテレビ番組の記録部１７への録画記録を開始する（ステップＳ２５）。
【００５１】
制御部１０は、メタデータ関連テーブル１８ａと現在の時刻とを参照し、現在の時刻が記録を開始したテレビ番組の放送終了日時を経過しているか否かを判定する（ステップＳ２６）。現在の時刻が記録を開始したテレビ番組の放送終了日時を経過していると判定した場合（Ｓ２６：ＹＥＳ）、制御部１０は、ステップＳ２２に戻って現在視聴しているテレビジョン放送のテレビ番組を選定し、その後の処理を継続する。現在の時刻が記録を開始したテレビ番組の放送終了日時を経過していないと判定した場合（Ｓ２６：ＮＯ）、制御部１０は、録画記録の終了を示す指示情報をユーザから操作部２０を介して受け付けたか否かを判定する（ステップＳ２７）。録画記録の終了を示す指示情報を受け付けていないと判定した場合（Ｓ２７：ＮＯ）、制御部１０は、ステップＳ２６に戻って現在の時刻が記録を開始したテレビ番組の放送終了日時を経過しているか否かを判定し、その後の処理を継続する。録画記録の終了を示す指示情報を受け付けたと判定した場合（Ｓ２７：ＹＥＳ）、制御部１０は、録画記録を停止して（ステップＳ２８）、処理を終了する。
【００５２】
上述の構成により、長時間テレビジョン放送を記録する場合においても、記録すべきテレビジョン放送のうち、ユーザにとって興味のあるテレビ番組を高画質で記録して興味のないテレビ番組を低画質で記録するという自動設定が実現可能となる。したがって、有限である記録容量をより有効に利用することが可能となる。
【００５３】
（実施の形態２）
実施の形態１のテレビジョン受信機１では、記録画質テーブル１８ｂが、メタデータに含まれるジャンルからなるジャンルフィールドとテレビ番組の記録に用いる記録画質を示す記録画質フィールドとで構成してある。実施の形態２のテレビジョン受信機１では、所定のジャンルのテレビ番組に用いる記録画質をより柔軟に選択できるようにするために、更に記録部１７の残存記録容量を示す容量フィールドを用いて構成してある記録画質テーブル１８ｃを使用する。容量フィールドには、新たなテレビジョン放送を録画記録することができる残存記録容量を示す情報が記録してある。
【００５４】
図７は、記録画質テーブル１８ｃのレコードレイアウトを示す説明図である。記録画質テーブル１８ｃは、メタデータに含まれるジャンルからなるジャンルフィールドと、テレビ番組の記録に用いる記録画質を示す記録画質フィールドと、記録部１７の残存記録容量を示す容量フィールドとで構成してある。ジャンルフィールドには、記録の対象となるテレビ番組のジャンル（ニュース／天気予報、スポーツ、ワイドショー、バラエティー、音楽、ドラマ、映画など）を示す情報が記録してある。記録画質フィールドには、記録に際して用いる画質を示す情報が記録してある。容量フィールドには、新たなテレビジョン放送を録画記録することができる残存記録容量を示す情報が記録してある。
【００５５】
図７では、残存記録容量に基づいてテレビ番組の記録画質を異なるようにする構成が例示してある。図７の記録画質テーブル１８ｃについて具体的には、記録部１７の残存記録容量が７５％以上ある場合には、バラエティーのジャンルの記録画質を標準画質としているが、７５％未満である場合には低画質としている。また、記録部１７の残存記録容量が７５％以上ある場合には、ドラマのジャンルの記録画質を高画質としているが、７５％未満５０％以上では標準画質とし、５０％未満２５％以上では低画質としている。また、記録部１７の残存記録容量が７５％以上ある場合には、映画のジャンルの記録画質を高画質としているが、７５％未満では標準画質としている。同様に、その他のジャンルの記録画質についても残存記録容量に基づいて異なり得る構成となっている。これらの構成により、例えば、録画してから数日たった場合にもユーザが興味を有する確率が比較的高いであろうドラマのジャンルに属するテレビ番組であっても、残存記録容量が多い場合には高画質で記録し、残存記録容量が少ない場合には低画質で記録する構成として、テレビジョン放送を新たに記録するための記録容量を確保することが可能となる。つまり、所定のジャンルのテレビ番組に対する記録画質をより柔軟に自動設定することが可能となる。
【００５６】
実施の形態２のテレビジョン受信機１におけるその他の構成は、記憶部１８に含まれる記録画質テーブル１８ｂが記録画質テーブル１８ｃに置き換えてあること以外、実施の形態１のテレビジョン受信機１における構成と同様であるため、詳細な説明を省略する。
【００５７】
図８は、記録部１７に記録するテレビ番組の記録画質設定を行う制御部１０の予約録画処理手順を示すフローチャートである。制御部１０は、記録対象であるテレビジョン放送のチャンネル、録画開始日時、録画終了日時などの情報を含んだ録画の指示情報をユーザから操作部２０を介して受け付ける（ステップＳ３１）。制御部１０は、メタデータ関連テーブル１８ａに基づいて、記録対象のテレビジョン放送に含まれるテレビ番組を選定し（ステップＳ３２）、選定した各テレビ番組のジャンルを特定する（ステップＳ３３）。
【００５８】
制御部１０は記録部１７の残存記録容量を検出する（ステップＳ３４）。制御部１０は、検出した残存記録容量と記録画質テーブル１８ｃとを参照し、選定したテレビ番組に対する記録画質を設定する（ステップＳ３５）。
【００５９】
制御部１０は、受け付けた録画開始日時から録画終了日時の期間に受信するテレビジョン放送に含まれる各テレビ番組を、設定した記録画質を用いて記録部１７へ録画記録し（ステップＳ３６）、処理を終了する。
【００６０】
図９は、記録部１７に記録するテレビ番組の記録画質設定を行う制御部１０のダイレクト録画処理手順を示すフローチャートである。
【００６１】
制御部１０は、現在視聴しているテレビジョン放送を録画記録する指示情報をユーザから操作部２０を介して受け付ける（ステップＳ４１）。制御部１０は、メタデータ関連テーブル１８ａに基づいて、現在視聴しているテレビジョン放送のテレビ番組を選定し（ステップＳ４２）、テレビ番組のジャンルを特定する（ステップＳ４３）。
【００６２】
制御部１０は記録部１７の残存記録容量を検出する（ステップＳ４４）。制御部１０は、検出した残存記録容量と記録画質テーブル１８ｃとを参照し、選定したテレビ番組に対する記録画質を設定する（ステップＳ４５）。制御部１０は、設定した記録画質を用いてテレビ番組の記録部１７への録画記録を開始する（ステップＳ４６）。
【００６３】
制御部１０は、メタデータ関連テーブル１８ａと現在の時刻とを参照し、現在の時刻が記録を開始したテレビ番組の放送終了日時を経過しているか否かを判定する（ステップＳ４７）。現在の時刻が記録を開始したテレビ番組の放送終了日時を経過していると判定した場合（Ｓ４７：ＹＥＳ）、制御部１０は、ステップＳ４２に戻って現在視聴しているテレビジョン放送のテレビ番組を選定し、その後の処理を継続する。現在の時刻が記録を開始したテレビ番組の放送終了日時を経過していないと判定した場合（Ｓ４７：ＮＯ）、制御部１０は、録画記録の終了を示す指示情報をユーザから操作部２０を介して受け付けたか否かを判定する（ステップＳ４８）。録画記録の終了を示す指示情報を受け付けていないと判定した場合（Ｓ４８：ＮＯ）、制御部１０は、ステップＳ４７に戻って現在の時刻が記録を開始したテレビ番組の放送終了日時を経過しているか否かを判定し、その後の処理を継続する。録画記録の終了を示す指示情報を受け付けたと判定した場合（Ｓ４８：ＹＥＳ）、制御部１０は、録画記録を停止して（ステップＳ４９）、処理を終了する。
【００６４】
上述の構成により、ユーザにとって興味のあるテレビ番組を高画質で記録し、興味のないテレビ番組を低画質で記録するという自動設定に対して、残存記録容量に基づく柔軟な変更が可能となる。したがって、有限である記録容量を更に有効利用することが可能となる。
【００６５】
（実施の形態３）
実施の形態１のテレビジョン受信機１では、記録画質テーブル１８ｂが、メタデータに含まれるジャンルからなるジャンルフィールドとテレビ番組の記録に用いる記録画質を示す記録画質フィールドとで構成してある。実施の形態３のテレビジョン受信機１では、所定のジャンルのテレビ番組に用いる記録画質をより柔軟に選択できるようにするために、更にテレビ番組が放送される時間帯を示す時間帯フィールドを用いて構成してある記録画質テーブル１８ｄを使用する。
【００６６】
１日のテレビジョン放送のうち、１９時から２２時のゴールデンタイムでは、他の時間帯と比べて新作のテレビ番組が放送されることが多く、比較的高い視聴率となる。視聴率が比較的高いため、ゴールデンタイムに放送される番組はユーザの興味がある番組である可能性が高いと予想される。したがって、本実施の形態３における記録画質テーブル１８ｄには、テレビ番組の放送時間帯を示す情報が記録してある。
【００６７】
図１０は、記録画質テーブル１８ｄのレコードレイアウトを示す説明図である。メタデータに含まれるジャンルからなるジャンルフィールドと、テレビ番組の記録に用いる記録画質を示す記録画質フィールドと、時間帯を示す時間帯フィールドとで構成してある。ジャンルフィールドには、記録の対象となるテレビ番組のジャンル（ニュース／天気予報、スポーツ、ワイドショー、バラエティー、音楽、ドラマ、映画など）を示す情報が記録してある。記録画質フィールドには、記録に際して用いる画質を示す情報が記録してある。時間帯フィールドには、放送される時間帯を示す情報が記録してある。
【００６８】
図１０では、放送される時間帯に基づいてテレビ番組の記録画質を異なるようにする構成が例示してある。図１０の記録画質テーブル１８ｄについて具体的には、放送される時間帯が１９時から２２時のゴールデンタイム及び２４時から３時の深夜タイム以外の通常時間帯である場合には、ニュース／天気予報のジャンルの記録画質を低画質としているが、ゴールデンタイムの場合には標準画質としている。また、通常時間帯である場合にはスポーツのジャンルの記録画質を低画質としているが、ゴールデンタイムの場合には高画質としている。更に、通常時間帯である場合にはドラマのジャンルの記録画質を高画質としているが、深夜タイムの場合には標準画質としている。同様に、その他のジャンルの記録画質についても放送される時間帯に基づいて異なり得る構成となっている。これらの構成により、例えば、録画してから数日たった場合にもユーザが興味を有する確率が比較的高いであろうドラマのジャンルに属するテレビ番組であっても、深夜タイムのように再放送の可能性が高い場合には低画質で記録する構成として、テレビジョン放送を新たに記録するための記録容量を確保することが可能となる。また、録画してから数日たった場合にユーザが興味を有する確率が比較的低いであろうスポーツのジャンルに属するテレビ番組であっても、ゴールデンタイムのように注目度の高い時間帯である場合には高画質で記録する構成として、テレビ番組に対する記録画質をより柔軟に自動設定することが可能となる。
【００６９】
実施の形態３のテレビジョン受信機１におけるその他の構成は、記憶部１８に含まれる記録画質テーブル１８ｂが記録画質テーブル１８ｄに置き換えてあること以外、実施の形態１のテレビジョン受信機１における構成と同様であるため、詳細な説明を省略する。
【００７０】
図１１は、記録部１７に記録するテレビ番組の記録画質設定を行う制御部１０の予約録画処理手順を示すフローチャートである。制御部１０は、記録対象であるテレビジョン放送のチャンネル、録画開始日時、録画終了日時などの情報を含んだ録画の指示情報をユーザから操作部２０を介して受け付ける（ステップＳ５１）。制御部１０は、メタデータ関連テーブル１８ａに基づいて、記録対象のテレビジョン放送に含まれるテレビ番組を選定し（ステップＳ５２）、選定した各テレビ番組のジャンルを特定する（ステップＳ５３）。
【００７１】
制御部１０は、メタデータ関連テーブル１８ａに基づいて放送開始日時および放送終了日時を特定し（ステップＳ５４）、特定した日時が含まれる時間帯及び特定したジャンルと記録画質テーブル１８ｄとを参照し、選定したテレビ番組に対する記録画質を設定する（ステップＳ５５）。特定した日時が含まれる時間帯に関しては、放送開始日時と放送終了日時とから、過半数以上を占める放送時間帯がゴールデンタイム又は深夜タイムに属するか否かを判定し、そのテレビ番組の時間帯として決定する。制御部１０は、受け付けた録画開始日時から録画終了日時の期間に受信するテレビジョン放送に含まれる各テレビ番組を、設定した記録画質を用いて記録部１７へ録画記録し（ステップＳ５６）、処理を終了する。
【００７２】
図１２は、記録部１７に記録するテレビ番組の記録画質設定を行う制御部１０のダイレクト録画処理手順を示すフローチャートである。
【００７３】
制御部１０は、現在視聴しているテレビジョン放送を録画記録する指示情報をユーザから操作部２０を介して受け付ける（ステップＳ６１）。制御部１０は、メタデータ関連テーブル１８ａに基づいて、現在視聴しているテレビジョン放送のテレビ番組を選定し（ステップＳ６２）、テレビ番組のジャンルを特定する（ステップＳ６３）。
【００７４】
制御部１０は、メタデータ関連テーブル１８ａに基づいて、現在視聴しているテレビ番組の放送開始日時および放送終了日時を特定し（ステップＳ６４）、特定した日時が含まれることになる時間帯及び特定したジャンルと記録画質テーブル１８ｄとを参照してテレビ番組に対する記録画質を設定する（ステップＳ６５）。制御部１０は、設定した記録画質を用いてテレビ番組の記録部１７への録画記録を開始する（ステップＳ６６）。
【００７５】
制御部１０は、メタデータ関連テーブル１８ａと現在の時刻とを参照し、現在の時刻が記録を開始したテレビ番組の放送終了日時を経過しているか否かを判定する（ステップＳ６７）。現在の時刻が記録を開始したテレビ番組の放送終了日時を経過していると判定した場合（Ｓ６７：ＹＥＳ）、制御部１０は、ステップＳ６２に戻って現在視聴しているテレビジョン放送のテレビ番組を選定し、その後の処理を継続する。現在の時刻が記録を開始したテレビ番組の放送終了日時を経過していないと判定した場合（Ｓ６７：ＮＯ）、制御部１０は、録画記録の終了を示す指示情報をユーザから操作部２０を介して受け付けたか否かを判定する（ステップＳ６８）。録画記録の終了を示す指示情報を受け付けていないと判定した場合（Ｓ６８：ＮＯ）、制御部１０は、ステップＳ６７に戻って現在の時刻が記録を開始したテレビ番組の放送終了日時を経過しているか否かを判定し、その後の処理を継続する。録画記録の終了を示す指示情報を受け付けたと判定した場合（Ｓ６８：ＹＥＳ）、制御部１０は、録画記録を停止して（ステップＳ６９）、処理を終了する。
【００７６】
上述の構成により、ユーザにとって興味のあるテレビ番組を高画質で記録し、興味のないテレビ番組を低画質で記録するという自動設定に対して、放送される時間帯に基づく柔軟な変更が可能となる。したがって、有限である記録容量を更に有効利用することが可能となる。
【００７７】
テレビジョン放送を録画記録する方法として、受信したテレビジョン放送を加工せずにそのまま録画記録する方法、トランスコーダにより変換して録画記録する方法、及びエンコーダにより変換して録画記録する方法が知られている。録画記録に際して加工することにより、録画記録に必要な容量を少なくすることができるが、受信したテレビジョン放送の含まれる情報の一部が利用できなくなる可能性がある。たとえば、トランスコーダを用いた加工では、受信したテレビジョン放送に含まれる番組連動データも記録することができるが、エンコーダを用いた加工では、番組連動データを記録することができない。したがって、上述した記録録画に対する自動設定に際して、受信したテレビジョン放送の加工方法をテレビ番組のメタデータに基づいて非加工、トランスコーダ加工、又はエンコーダ加工と自動選択できる構成を更に含むようにしてもよい。
【００７８】
今回開示された実施の形態はすべての点で例示であって、制限的なものでは無いと考えられるべきである。上で例示した複数の構成は、他の構成例と組み合わせて利用することも可能である。上述の実施の形態２及び３はそれぞれ、実施の形態１に改良を加えたものであるが、実施の形態２と実施の形態３とを組み合わせることもちろん可能である。本発明の範囲は、上で例示した内容だけで無く、特許請求の範囲によって示され、特許請求の範囲と均等の意味及び範囲内でのすべての変更が含まれることが意図される。
【符号の説明】
【００７９】
１  テレビジョン受信機
１０  制御部
１１  映像／音声入力部
１２  チューナ部
１３  ＡＶスイッチ
１４  信号処理部
１５  表示部
１６  スピーカ
１７  記録部
１８  記憶部
１８ａ  メタデータ関連テーブル
１８ｂ  記録画質テーブル  
１８ｃ  記録画質テーブル
１８ｄ  記録画質テーブル
１９  受付部
２０  操作部
【図１】
2014072776.tif 000003
【図２】
2014072776.tif 000004
【図３】
2014072776.tif 000005
【図４】
2014072776.tif 000006
【図５】
2014072776.tif 000007
【図６】
2014072776.tif 000008
【図７】
2014072776.tif 000009
【図８】
2014072776.tif 000010
【図９】
2014072776.tif 000011
【図１０】
2014072776.tif 000012
【図１１】
2014072776.tif 000013
【図１２】
2014072776.tif 000014